(57)【要約】  本発明は、引出しのガイドレール（３）に関し、家具本体（１）に固定し得る支持レール（３）と、前記引出し（２）に結合し得るランナ（３ｂ）とを備えている。本発明によれば、支持レール（３ａ）は、家具本体（１）に固定することができ、それは、水平な軸線（４）を中心として枢動できると共に、前記軸線（４）から離れた距離にて、高さ調整ユニット（５）に支持又は結合されており、高さ調整ユニットは、支持レール（３ａ）を、もって、ガイドレール（３）の全体を斜めの状態に傾斜させ、本体の前面（１ａ）に向けて下向きに傾ける。引出しは、引出しのガイドレールの傾動の結果、自動的に開閉することができる。【選択図】  図１
2009534065.tif 000002
【特許請求の範囲】
【請求項１】
家具本体（１）に固定可能な支持レール（３ａ）と、引出し（２）に結合可能な走行レール（３ｂ）とを有してなる引出しのガイドレール（３）において、
前記支持レール（３ａ）は前記家具本体（１）に固定可能であって、水平な軸線（４）を中心として枢動可能であり、高さ調整装置（５）上で、前記軸線（４）から距離をおいて支持され、又は、前記高さ調整装置（５）に結合され、前記高さ調整装置を用いて、前記支持レール（３ａ）が、ひいては前記ガイドレールの全体（３）も、前記家具本体の前側（１ａ）の方向に下がる少なくとも斜めの状態へと傾斜することを特徴とする、引出しのガイドレール。
【請求項２】
前記軸線（４）が、前記支持レール（３ａ）の前端領域に設けられ、前記高さ調整装置（５）は、前記支持レール（３ａ）の他の前端の領域に設けられていることを特徴とする請求項１に記載の引出しのガイドレール。
【請求項３】
前記軸線（４）が、前記前端領域に設けられ、前記高さ調整装置（５）は、前記支持レール（３ａ）における後端領域に設けられていることを特徴とする請求項１又は２に記載の引出しのガイドレール。
【請求項４】
前記高さ調整装置（５）が、歯付きラック（７）とピニオン（７ａ）とを備えていることを特徴とする請求項１〜３のいずれか一項に記載の引出しのガイドレール。
【請求項５】
前記高さ調整装置（５）が、前記支持レール（３ａ）を支持する水平に調整可能な楔（８）を備えることを特徴とする請求項１〜３のいずれか一項に記載の引出しのガイドレール。
【請求項６】
前記高さ調整装置（５）が、前記支持レール（３ａ）を支持する加熱可能なバイメタルプレート（９）を備えることを特徴とする請求項１〜３のいずれか一項に記載の引出しのガイドレール。
【請求項７】
前記高さ調整装置（５）が、ピストンロッド（６ａ）を有する持ち上げピストン（６）を備えていることを特徴とする請求項１〜３のいずれか一項に記載の引出しのガイドレール。
【請求項８】
前記高さ調整装置（５）がスピンドル駆動装置を備え、前記スピンドル駆動装置が、電気的に駆動可能なスピンドル（９）と、前記支持レール（３ａ）に結合され、スピンドルナットとして使用されるプレート（９ａ）とを有していることを特徴とする請求項１〜３のいずれか一項に記載の引出しのガイドレール。
【請求項９】
前記高さ調整装置（５）が、屈曲駆動装置と、前記支持レール（３ａ）に固定されたピン（１０）とを備え、前記ピンは、水平に変位可能な摺動ブロック（１０ｂ）における屈曲した又はクランク状のガイド（１０ａ）に係合していることを特徴とする請求項１〜３のいずれか一項に記載の引出しのガイドレール。
【請求項１０】
前記高さ調整装置（５）が、前記支持レール（３ａ）を支持する回転可能な駆動制御カム（１１）を備えることを特徴とする請求項１〜３のいずれか一項に記載の引出しのガイドレール。
【請求項１１】
少なくとも１つの端部ストッパダンパを備えていることを特徴とする請求項１〜１０のいずれか一項に記載の引出しのガイドレール。
【請求項１２】
前記高さ調整装置（５）を用いて、前記家具本体の後側（１ｂ）の方向に下がる斜めの状態に、当該引出しのガイドレールが傾斜することを特徴とする請求項１〜１１のいずれか一項に記載の引出しのガイドレール。
【請求項１３】
前記屈曲した又はクランク状のガイド（１０ａ）が、水平に延びる中間部分と、隣接する下降端部部分とを有し、さらに、水平部分に隣接した上昇端部部分を有し、前記支持レール（３ａ）に結合された前記ピン（１０）は、前記屈曲した又はクランク状のガイド（１０ａ）の中立位置における水平部分に載置されていることを特徴とする請求項９に記載の引出しのガイドレール。
【請求項１４】
前記支持レール（３ａ）が、前記引出しの左右に配置され、前記指示レールの高さ調整領域において、レール、横木、又は類似物によって互いに結合され、又は、前記支持レール（３ａ）を傾けるための調整駆動装置又は調整機構は、ロッド又は横木によって互いに結合されていることを特徴とする請求項１〜１３のいずれか一項に記載の引出しのガイドレール。
【発明の詳細な説明】
【技術分野】
【０００１】
本発明は、引出しのガイドレールに関し、家具本体に固定可能な支持レールと、引出しに結合可能な走行レールとを有しているものである。
【背景技術】
【０００２】
前述したタイプの引出しのガイドレールは、マニホールドの実施形態において知られており、１以上の中間レールが有効延長長さを増やし、支持レールと走行レールとの間に配置され、引出しに固定可能になっている。
【０００３】
公知の引出しのガイドレールは、水平に向けて据え付けられ、対応する家具のかかる点までは、この水平な取付けの構成に関して、変化不能である。
【０００４】
引出しは、一般的に開かれ、手動で閉じた位置に戻されるが、より近年の開発では、家具の構造は先の設計をもたらした。しかしながら、引出しは、少なくとも開く方向については、自動的に拡張してもよい。現在までの所、この目的のためには、多少とも複雑な駆動装置が必要であった。
【発明の開示】
【発明が解決しようとする課題】
【０００５】
本発明の目的は、簡単な態様で、少なくとも自動的に開く引出しを許容する、引出しのガイドレールを開示することに基づく。
【課題を解決するための手段】
【０００６】
この目的を達成するために、本発明においては、保持レールが家具本体に固定可能であり、それは、水平な軸線を中心として枢動可能であると共に、高さ調整装置に支持され、又は、軸線から距離をおいて高さ調整装置に結合され、高さ調整装置を用いて、支持レールと、従って、ガイドレールの全体とが、本体の前側の方向に下がる少なくとも斜めの状態へと傾斜する。
【０００７】
このタイプの引出しのガイドレールが、引出しに使用されるならば、引出しは、引出しのガイドレールの傾動によって自動的に開かれることができ、ここでは斜面の原理が使用される。
【０００８】
本発明のさらに別の着想によれば、引出しのガイドレールは、高さ調整装置を介して、本体の裏側の方向を下げるように傾斜させることができ、そうするならば、引出しを閉じる運動も自動化できる可能性が存在する。
【０００９】
従って、引出しを開き、可能ならば閉じるために、複雑な駆動手段はもはや必要ではない。その理由は、高さ調整装置を介して、引出しのガイドレールを傾動することは、比較的簡単な設計を有する手段を使用して、引き起こすことができるからである。
【００１０】
従って、例えば、高さ調整装置は、歯付きラックとピニオンとから構成される可能性が存在する。ピニオンは、簡単な電気モータを用いて駆動することができる。
【００１１】
これに代えて、高さ調整装置は、支持レールを支持する水平に調整可能な楔を備えることができ、比較的簡単な駆動手段を介して、楔だけを水平方向に変位可能にする。
【００１２】
高さ調整装置のさらに別の実施形態と、本発明のさらに別の特徴とは、従属請求項の主題である。
【００１３】
本発明の例示的な実施形態は、添付図面に示され、以下、詳細に説明される。
【発明を実施するための最良の形態】
【００１４】
図１において、参照符号１は、家具本体の部分的な詳細を示しており、ここで、引出し２が、左右に取り付けられた引出しのガイドレール３を介してガイドされて、引出しは変位可能になっている。
【００１５】
それぞれの引出しのガイドレールは、家具本体１に固定可能な支持レール３ａと、引出し２に結合可能な走行レール３ｂとを備え、また、図２〜図８に示すように、支持レール３ａと走行レール３ｂとの間には、長さ延長用の中間レール３ｃを設けることもできる。
【００１６】
特定の支持レール３ａは、家具本体１の水平な軸線４を中心として枢動可能に取り付けられ、距離をおいて高さ調整装置５に連結又は結合され、図１に明瞭のために誇張して示すように、支持レール３ａと、従って、引出しのガイドレール３の全体とが、本体の前側１ａの方向に、水平な軸線４を中心として傾動するようになっている。
【００１７】
支持レール３ａは、高さ調整装置５に結合されることができ、又はそれにより支持される。
【００１８】
高さ調整装置５の運動の動作は、支持レール３ａと、従って、引出しのガイドレール３の全体とが、本体の裏側１ｂの方向に下がる斜めの状態へと傾動するように設計する可能性も存在している。
【００１９】
引出し２の両側に配置された引出しのガイドレール３が、所定の斜めの状態に達すると直ちに、引出し２は、重力のために、自動的に開くか、又は、自動的に開いた位置から閉じた位置へと動くかのいずれかとなる。
【００２０】
引出しのガイドレール３は、公知の端部ストッパダンパを備えることができる。
【００２１】
引出しのガイドレール３は、好ましくは、ここで、本体の前側１ａに隣接した前面に、ベアリング孔４ａを有するベアリング４ｂを備えることができ、本体に固定されたベアリングピン（詳しくは図示せず）が、ベアリング孔４ａに係合できるようになっている。従って、それぞれの引出しのガイドレール３は、簡単な態様で、家具本体１の水平な軸線４を中心として枢動可能に取り付けられる。
【００２２】
高さ調整装置５は、マニホールドの態様で、建設的に設けることができる。
【００２３】
図２〜図８の例示的な実施形態は、ここで、様々な可能性を示している。
【００２４】
例えば、図２による例示的な実施形態においては、支持レール３ａは本体に取り付けられ、従って、引出しのガイドレール３の全体は、ベアリング４ｂから離れて面したその後端領域において、持ち上げピストン６のピストンロッド６ａに支持され、持ち上げピストン６は、家具本体１に固定されている。ピストンロッド６ａを拡張又は収縮させることで、引出しのガイドレール３の後端は、ベアリング４ｂの水平位置に対して、上昇又は下降する。従って、引出しのガイドレール３は、対応して、本体の前側１ａの方向、又は、本体の後側１ｂの方向が下がった傾斜位置を呈する。
【００２５】
図３による本発明の例示的な実施形態においては、歯付きラック７が、家具本体に取り付けられたピニオン７ａと噛合しており、ピニオンは電気モータによって駆動され、歯付きラックは、本体に取り付けられた支持レール３ａに固定され、引出しのガイドレール３の対応する後端領域を上昇又は下降させる。ピニオン７ａを回転させることで、引出しのガイドレール３の後端領域は、上昇又は下降する。
【００２６】
上昇又は下降の、この機能を達成するには、図４に示すように、家具本体に取り付けられた支持レール３ａを、楔の上に支持し、楔を電気モータ８ａを介して、水平方向に変位可能にするとよい。
【００２７】
この場合に、上述したように、両方向に引出しのガイドレール３を傾斜できる可能性を提供すべきならば、この概念は、支持レール３ａが、楔の水平位置の概略中間領域に載せられるように設計すべきである。
【００２８】
また、水平な軸線４を中心とした引出しのガイドレール３の枢動運動を達成するには、ガイドレール３ａをバイメタルプレート９で支持して、バイメタルプレートを、象徴的に示した加熱組立体９ａを介して、加熱することもできる。
【００２９】
図６は、高さ調整装置５の構成のさらに別の可能性を示している。ここでは、本体に固定された電気的に駆動可能なスピンドル９が、対応するスピンドルねじが設けられたプレート９ａと係合し、支持レール３ａに結合されて、スピンドルナットとして働くことが明らかである。
【００３０】
図７による例示的な実施形態においては、高さ調整装置５が設けられ、それは、支持レール３ａにガイドピン１０が固定され、ガイドピンは、モータによって水平方向に変位可能な摺動ブロック１０ｂにおける屈曲した又はクランク状のガイド１０ａに係合している。
【００３１】
図８による例示的な実施形態における高さ調整装置５は、回転可能に駆動される制御カム１１を備え、その上に、ベアリング４ｂから離れて面した支持レール３ａの後端が支持されている。
【００３２】
図７による例示的な実施形態における、屈曲した又はクランク状のガイド１０ａは、図９に示すように変形して設けられる。ここでは、摺動ブロック１０ｂは、引出しの中立位置、すなわち、収縮した状態において、屈曲した又はクランク状のガイド１０ａにおける中間の水平に延びる部分に休止していることは明らかである。対照的に、屈曲した又はクランク状のガイド１０ａにおける２つの端部部分は、斜め下方へ下がるように、又は、斜め上方へ上がるように延びて、この中間部分へ向かい、さらに別の手段なしに、引出しのガイドレールを、家具本体の前側に向けて又は家具本体の後側へ向けて、斜めの状態にもたらす可能性が存在する。
【００３３】
図１０は、引出しの左右に配置されるものとして知られた、引出しにおける、引出しのガイドレール３をどのようにして、同期機構を介して調整するのかについて代表的に示している。図１０による例示的な実施形態においては、図４による基本的な実施形態を使用しており、引出しのガイドレール３を上昇又は下降させるそれぞれの場合に、楔８が使用されている。図１０が明示しているように、左右の引出しのガイドレール３に必要な２つの楔８は、横木８ｂによって互いに結合され、引出しにおける、両方の引出しのガイドレール３は、ただ１つの駆動装置を用いて上昇又は下降し、この上昇又は下降の運動は同期する。
【００３４】
また、左右に配置される引出しのガイドレールのためのその他の調整装置又は調整機構は、互いに対応して同期させることができ、例えば、図３に示した基本的構成によるピニオン７ａは、ロッド又は横木を介して互いに結合させることができ、両方のピニオン７ａのためには１つだけの駆動装置で充分であり、調整運動の同期は達成される。
【００３５】
駆動装置と調整機構との制御装置に関しては、もちろん、引出しの特定の位置の適当な位置検出を介して、端部位置に達する前に、引出しのガイドレール３をそれらの中立な水平位置に戻して、引出しの端部位置における激しい停止を回避するように設計することもできることに留意されたい。
【００３６】
また、興味深いことに、本発明による構成によって達成される利点では、引出しを調整及び変位させるシステム全体が、その荷重状態とは独立している。これは、基本的に、大きな荷重重量の場合には、引出しを拡張又は収縮させるのに大きな力が必要であるが、引出しは多少とも斜面を介して開閉されるので、これらの大きな力は、いわば自動的に生じるためである。従って、全体のシステムは、基本的に自己調整される。
【００３７】
図示した例示的な実施形態は、高さ調整装置５を実現するマニホールドの可能性の単なる代表であり、可能な最も少ない電力消費で動作する設計が、基本的に、ここでは好ましい。
【００３８】
特定の高さ調整装置５の活性化は、対応する活性装置又はスイッチを介して、図示しない態様で実行するとよく、これは、例えば、引出し２の接触又は直接接触又は近接に反応する。
【００３９】
本願で開示した本発明の総合的な概念の実現は、あらゆる場合に、最も少ない摩擦抵抗を有する引出しのガイドレール３の使用を想定している。その理由は、引出しのガイドレール３のわずかな傾斜さえもが、引出し２を家具本体１から拡張させ、又は閉じた位置へ戻すのに充分であるからである。
【図面の簡単な説明】
【００４０】
【図１】引出しを示した極めて模式的な側面図であって、家具本体に変位可能に取り付けられ、本発明による引出しのガイドレールを有している。
【図２】本発明の様々な例示的な実施形態による、本発明によるガイドレールを示した極めて模式的な斜視図である。
【図３】本発明の様々な例示的な実施形態による、本発明によるガイドレールを示した極めて模式的な斜視図である。
【図４】本発明の様々な例示的な実施形態による、本発明によるガイドレールを示した極めて模式的な斜視図である。
【図５】本発明の様々な例示的な実施形態による、本発明によるガイドレールを示した極めて模式的な斜視図である。
【図６】本発明の様々な例示的な実施形態による、本発明によるガイドレールを示した極めて模式的な斜視図である。
【図７】本発明の様々な例示的な実施形態による、本発明によるガイドレールを示した極めて模式的な斜視図である。
【図８】本発明の様々な例示的な実施形態による、本発明によるガイドレールを示した極めて模式的な斜視図である。
【図９】図７に代えて配置される、屈曲した又はクランク状のガイドを示している。
【図１０】互いに平行に走行する２つの引出しのガイドレールの調整運動を同期させる構成を示した極めて模式的な図である。
【図１】
2009534065.tif 000003
【図２】
2009534065.tif 000004
【図３】
2009534065.tif 000005
【図４】
2009534065.tif 000006
【図５】
2009534065.tif 000007
【図６】
2009534065.tif 000008
【図７】
2009534065.tif 000009
【図８】
2009534065.tif 000010
【図９】
2009534065.tif 000011
【図１０】
2009534065.tif 000012
【国際調査報告】
2009534065.tif 000013
2009534065.tif 000014
2009534065.tif 000015
2009534065.tif 000016